(57)【要約】【課題】ヘッドバンドとイヤパッドの角度を容易に調整でき、小さく収納でき、モジュール化生産可能な耳当ての構造。【解決手段】本体２１にバンド体１１が挿入されて固定され、本体２１底部には軸孔２１２が連通しており、軸部２２１が軸孔２１２内に位置決めされ、軸部２１２から離れた他側は湾曲して表面にストッパブロック２２３を有する接続部２２２を有する。ベース台３１には接続部２２２が穿設される貫通溝３１１が設けられ、ベース台３１表面にはストッパブロック２２３が掛合固定される位置決め孔３１２が設けられ、ベース台３１側辺の外部方向には複数の凸リブ３２が延伸し、各凸リブ３２末端には徐々に拡張する形状の円弧辺３３が接続される。織物体４がイヤパッド３外縁を被覆し、織物体４にはイヤパッド３の基台３１の貫通溝３１１部分に対応する開口４２が設けられる。【選択図】図１３
2009226001.tif 000002
【特許請求の範囲】
【請求項１】
ヘッドバンドの二つのバンド体およびイヤパッドを使用者の頭部形状に合わせてフィットさせることができる耳当ての構造であって、
ヘッドバンド、接続装置、イヤパッドおよび織物体から構成され、
前記ヘッドバンドは、二つのバンド体が相互に穿設されて伸縮状態を形成するべく前記二つのバンド体の一側には貫通孔を有するガイド部がそれぞれ設けられ、バンド体の他側末端は円弧状を呈した摩擦面取り部が設けられ、末端表面には穿孔が設けられ、バンド体左右両側には凹陥した導入溝が設けられ、前記バンド体の厚さはガイド部部分から穿孔部分に向って徐々に薄くなり、前記バンド体の穿孔を有する末端は他のバンド体の貫通孔のガイド部内に挿通されて前記バンド体のガイド部は他のバンド体の左右両側に設けられた導入溝内で滑動移動し、
前記接続装置は、略Ｕ形の本体および接続板を有し、前記本体の中空部位にはバンド体が挿入される位置決め空間が形成され、本体の左右両側には前記バンド体の穿孔に対応する透孔が設けられ、前記穿孔および透孔には枢設部材が穿設され、前記位置決め空間の末端には軸孔が連通し、
前記接続装置の接続板の一側には、前記軸孔内に設置される軸部が設けられ、前記軸部から離れた他端には接続部が湾曲して設けられ、前記接続部の表面には少なくとも一つ以上のストッパブロックが設けられ、
前記イヤパッドは、基台を有し、前記基台内には前記接続部が挿通される貫通溝が設けられ、前記基台表面には前記ストッパブロックが係合固定される位置決め孔が設けられ、前記基台の側辺からは外部に向かって複数の凸リブが延伸し、前記各凸リブ末端全てには徐々に拡張する形状の円弧辺および円弧辺板が接続され、前記円弧辺には面取り部が形成され、前記面取り部は前記貫通溝の開口部分の下方に位置し、前記円弧辺と円弧辺板との間には空間部が設けられ、前記凸リブと前記円弧辺との間には使用者の耳部が収容される収容空間が形成され、
前記織物体は、イヤパッド外縁に被覆され、前記イヤパッド外縁の織物体には開口が設けられ、前記開口はイヤパッド基台の貫通溝部分に対応する
ことを特徴とする耳当ての構造。
【請求項２】
前記バンド体は、前記接続装置本体の位置決め空間内において揺動し、前記バンド体の末端端面部分には揺動した位置で所定角度に固定される円弧状の摩擦面取り部が形成されることを特徴とする請求項１記載の耳当ての構造。
【請求項３】
前記接続板末端の接続部のストッパブロックの一側には、導入斜面が形成され、前記ストッパブロックの他側にはストッパ部が設けられ、前記導入斜面が前記位置決め孔を超えた後、前記ストッパ部が前記位置決め孔内に係合固定され、前記接続板は前記軸部を通じて前記本体の軸孔内において接続された前記イヤパッドを回動させることを特徴とする請求項１記載の耳当ての構造。
【請求項４】
前記織物体は、裁断布正面をミシン縫いした後で縁かがり縫いする方式でイヤパッド外縁を被覆し、前記縁かがり縫い方式は二枚の織物体で前記イヤパッドの上下表面に被覆した後、縁かがり縫い層によって縫合部分を完全に接続する方式であることを特徴とする請求項１記載の耳当ての構造。
【請求項５】
前記織物体は、裁断布背面をミシン縫いした後で反転させる方式で前記イヤパッド外縁を被覆し、前記反転方式は二枚の織物体を背面から不完全に縫合し、一部未縫合部分を残して反転口を形成し、背面の織物体を反転口から正面に反転し、イヤパッドを反転口から織物体内に設置し、前記反転口部分の未縫合の織物体をイヤパッドの空間部内に押し込むことによって織物体がイヤパッド外縁を被覆することを特徴とする請求項１記載の耳当ての構造。
【請求項６】
前記織物体は、更に、ヘッドバンドおよび接続装置外縁を被覆し、前記接続板は前記織物体外に露出することを特徴とする請求項１記載の耳当ての構造。
【発明の詳細な説明】
【技術分野】
【０００１】
本発明は、耳当ての構造に関し、長さおよび弧度を調整できるヘッドバンドおよびヘッドバンド末端の接続装置による前後左右の位置決め機能によってヘッドバンドの長さおよびイヤパッドの角度を容易に調整でき、額、頭部斜め前方、頭部中部、後頭部上方、後頭部、後頚部上方、顔部または下顎から装着することができ、また、最小体積での収納をできる耳当ての構造に関する。
【背景技術】
【０００２】
防寒用具の中で、厚い衣類、マフラーおよび手袋などは、人体表面を被覆して身体を暖めるものであるが、寒気流が到来したり、高山地または降雪地などの低温地においては上述の防寒用具では人体の耳部の保護を十分に行うことができず、耳部は露出しているので凍傷したり、疼痛を感じたりする。
【０００３】
そこで、耳部の防寒用具として耳当ての構造が案出された。図１６は従来技術による耳当ての構造を示す斜視図である。図から分かるように、従来技術による耳当ての構造は、使用者の頭部に設置される伸縮可能なヘッドバンドＡが設けられ、円形のイヤパッドＢがヘッドバンドＡの末端に結合されて、使用時、ヘッドバンドＡの長さを伸縮させて調整してイヤパッドＢを耳部に被覆して使用する。従来技術による耳当てには下記の欠点が存在する。
【０００４】
１．従来技術による耳当ては、頭部上方または頭部後方からの装着しかできない。
２．従来技術による耳当てのヘッドバンドＡは、挿入口の容積が大きいので、挿入口が頭部方向に突出し、使用者が不快感を感じる。
３．従来技術による耳当てのヘッドバンドＡは、左右の厚さが一致しており、応力が集中しないので、ヘッドバンドＡが容易に捩れ、ヘッドバンドＡにイヤパッドＢを接続するときに方向性がないので、使用者が装着した後、イヤパッドＢが容易にずれて頭部から脱落する。
４．従来技術による耳当てのイヤパッドＢは、小型の接合部材ＣによってヘッドバンドＡの末端に固定され、この種の結合方式では全体の強度が非常に弱く、使用者がイヤパッドＢの角度を調整するとき、接合部が断裂し、耳当てとしての機能を失う。
５．従来技術による耳当てのイヤパッドＢは、強度が弱く、耳部を挟持する圧力が不足し、耳当てとしての機能を失う。
６．従来技術による耳当てのヘッドバンドＡおよびイヤパッドＢの構造では最小体積での収納をすることができないので、空間を占拠し、ヘッドバンドＡおよびイヤパッドＢを積重ねたとき、圧力によって全体の構造が破壊されたり、変形したりする状況が発生する。
７．従来技術による耳当ての外縁に織物体を被覆したい場合、ヘッドバンドＡおよびイヤパッドＢを別々に異なる材質または色の織物体で被覆することができず、ヘッドバンドＡおよびイヤパッドＢそれぞれの生産をモジュール化し、二者を接合して耳当てを製造することができないので、全体の製造工程が非常に複雑である。
【０００５】
上述の従来技術における問題および欠点を如何にして解決するかは、本業界に従事するメーカーの研究目標であった。
【０００６】
本発明の発明者は、上述の従来技術の問題および欠点に鑑み、関連資料を収集し、多方面に渡る考察および本業界における長年の経験からついに本発明の耳当ての構造を案出した。
【特許文献１】登録新案第３１１５０９９号公報
【特許文献２】実公昭６２−４４９６８号公報
【発明の開示】
【発明が解決しようとする課題】
【０００７】
本発明の第１の目的は、ヘッドバンドのバンド体の両側の厚さが凹陥して導入溝が形成され、導入溝部分にはバンド体を貫通する穿孔が設けられ、ガイド部および穿孔はバンド体上に平坦に設置され、ヘッドバンドの上下バンド体が引っ掛かってガイド部および穿孔がバンド体の頭部に近い一側に突出して使用者に不快感を与えるのを防止し、ヘッドバンドのバンド体の導入溝によってバンド体の応力がバンド体中央に集中し、耳当て使用時に捩れるのを防止することができる耳当ての構造を提供することにある。
本発明の第２の目的は、接続装置によってヘッドバンドのバンド体およびイヤパッドは前後左右に回動することができ、特にバンド体末端の円弧形に突出した摩擦面取り部によってイヤパッドとヘッドバンドの角度を平行、右垂直または左垂直などの所定の角度に維持し、イヤパッドが自由に揺動するのを防止し、使用者は全方位での装着をすることができる耳当ての構造を提供することにある。
本発明の第３の目的は、バンド体が枢設部材によって接続装置の本体と接合された後、接続装置の接続板がイヤパッド基台の貫通溝内に活動可能に穿設され、接続板の接続部表面のストッパブロックが基台の位置決め孔内に位置規制されて係合固定されることによって接合構造の強度が高められ、イヤパッドが接続板から脱落しにくい耳当ての構造を提供することにある。
本発明の第４の目的は、イヤパッドを分離させることができるので、織物体を別々に加工することができ、織物体をヘッドバンドおよび接続装置外縁に別々に被覆したり、イヤパッド外縁に被覆したりすることができ、それぞれの生産をモジュール化することができ、接続装置の接続板を織物体の開口に貫通し、イヤパッドの貫通溝に挿入することによって耳当ての組立が行なわれる耳当ての構造を提供することにある。
本発明の第５の目的は、接続装置によってヘッドバンドのバンド体とイヤパッドの角度を調整してヘッドバンドおよびイヤパッドを重ねることができ、収納時の体積を縮小することができ、所定の角度に容易に調整して収納することができ、収納時、作用力が大きすぎて構造が破壊されたり、変形したりするのを防止できる耳当ての構造を提供することにある。
【課題を解決するための手段】
【０００８】
上述の課題を解決するために、請求項１の発明は、ヘッドバンドの二つのバンド体およびイヤパッドを使用者の頭部形状に合わせてフィットさせることができる耳当ての構造であって、ヘッドバンド、接続装置、イヤパッドおよび織物体から構成され、ヘッドバンドは、二つのバンド体が相互に穿設されて伸縮状態を形成し、二つのバンド体の一側には貫通孔を有するガイド部がそれぞれ設けられ、バンド体の他側末端は円弧状を呈した摩擦面取り部が設けられ、末端表面には穿孔が設けられ、バンド体左右両側には凹陥した導入溝が設けられ、バンド体の厚さはガイド部部分から穿孔部分に向って徐々に薄くなり、バンド体の穿孔を有する末端は他のバンド体の貫通孔のガイド部内に穿設され、バンド体のガイド部は他のバンド体の左右両側に設けられた導入溝内で滑動移動し、接続装置は、略Ｕ形の本体および接続板を有し、本体の中空部位にはバンド体が挿入される位置決め空間が形成され、本体の左右両側にはバンド体の穿孔に対応する透孔が設けられ、穿孔および透孔には枢設部材が穿設され、位置決め空間の末端には軸孔が連通し、接続装置の接続板の一側には、軸孔内に設置される軸部が設けられ、軸部から離れた他端には接続部が湾曲して設けられ、接続部の表面には少なくとも一つ以上のストッパブロックが設けられ、イヤパッドは、基台を有し、基台内には接続部が穿設される貫通溝が設けられ、基台表面にはストッパブロックが係合固定される位置決め孔が設けられ、基台の側辺からは外部に向かって複数の凸リブが延伸し、各凸リブ末端全てには徐々に拡張する形状の円弧辺および円弧辺板が接続され、円弧辺には面取り部が形成され、面取り部は貫通溝の開口部分の下方に位置し、円弧辺と円弧辺板との間には空間部が設けられ、凸リブと円弧辺との間には使用者の耳部が収容される収容空間が形成され、織物体は、イヤパッド外縁に被覆され、イヤパッド外縁の織物体には開口が設けられ、開口はイヤパッド基台の貫通溝部分に対応することを特徴とする耳当ての構造である。
【０００９】
請求項２の発明は、バンド体は、接続装置本体の位置決め空間内において揺動し、バンド体の末端端面部分には揺動後に所定角度に固定される円弧状の摩擦面取り部が形成されることを特徴とする請求項１記載の耳当ての構造である。
【００１０】
請求項３の発明は、接続板末端の接続部のストッパブロックの一側には、導入斜面が形成され、ストッパブロックの他側にはストッパ部が設けられ、導入斜面が位置決め孔を超えた後、ストッパ部が位置決め孔内に係合固定され、接続板は軸部を通じて本体の軸孔内において接続されたイヤパッドを回動させることを特徴とする請求項１記載の耳当ての構造である。
【００１１】
請求項４の発明は、織物体は、裁断布正面をミシン縫いした後で縁かがり縫いする方式でイヤパッド外縁に被覆され、縁かがり縫い方式は二枚の織物体をイヤパッドの上下表面に被覆した後、縁かがり縫い層によって縫合部分を完全に接続する方式であることを特徴とする請求項１記載の耳当ての構造である。
【００１２】
請求項５の発明は、織物体は、裁断布背面をミシン縫いした後で反転させる方式でイヤパッド外縁に被覆され、反転方式は二枚の織物体を背面から不完全に縫合し、一部未縫合部分を残して反転口を形成し、背面の織物体を反転口から正面に反転し、イヤパッドを反転口から織物体内に設置し、反転口部分の未縫合の織物体をイヤパッドの空間部内に押し込むことによって織物体がイヤパッド外縁に被覆されることを特徴とする請求項１記載の耳当ての構造である。
【００１３】
請求項６の発明は、織物体は、更に、ヘッドバンドおよび接続装置外縁に被覆され、接続板は織物体外に露出することを特徴とする請求項１記載の耳当ての構造である。
【発明の効果】
【００１４】
本発明のヘッドバンドは、接続装置の略Ｕ形本体にバンド体が挿入されて固定され、本体底部には軸孔が連通しており、接続板の軸部が軸孔内に位置決めされ、軸部から離れた他側は湾曲して表面にストッパブロックを有する接続部を有する。イヤパッドのベース台には接続部が穿設される貫通溝が設けられ、ベース台表面にはストッパブロックが掛合固定される位置決め孔が設けられ、ベース台側辺の外部方向には複数の凸リブが延伸し、各凸リブ末端には徐々に拡張する形状の円弧辺が接続される。織物体がイヤパッド外縁を被覆し、織物体にはイヤパッド基台の貫通溝部分に対応する開口が設けられる。以上の構造によって使用者の頭部形状または装着方式に合わせ、接続装置によってヘッドバンドおよびイヤパッドの角度を容易に調整でき、また、角度を容易に調整して収納でき、また、モジュール化による生産によって必要に合わせて各種イヤパッドを挿接することができる。
【発明を実施するための最良の形態】
【００１５】
本発明の目的、特徴および効果を示す実施例を図に沿って詳細に説明する。
【００１６】
図１は、本発明を示す斜視図である。図２は、本発明を示す分解斜視図である。図から分かるように、本発明の耳当ての構造は、ヘッドバンド１、接続装置２、イヤパッド３および織物体４から構成される。
【００１７】
ヘッドバンド１は、二つのバンド体１１が重ねられて構成され、二つのバンド体１１の一側には貫通孔１２１を有するガイド部１２が設けられ、ガイド部１２から離れた他側表面には穿孔１３が設けられ、ガイド部１２と穿孔１３との間の左右両側には厚さが凹陥した導入溝１４が形成され、ガイド部１２から離れたバンド体１１末端には円弧状の摩擦面取り部１５が設けられる。
【００１８】
接続装置２は、略Ｕ形の本体２１および接続板２２から構成され、Ｕ形の本体２１の中空部位にはバンド体１１が挿入される位置決め空間２１０が形成され、本体２１の左右両側には位置決め空間２１０に連通した透孔２１１が設けられ、透孔２１１には枢設部材２３が穿設され、位置決め空間２１０末端には軸孔２１２が連通している。接続板２２の一側には軸孔２１２内に固定される軸部２２１が設けられ、軸部２２１から離れた他端には接続部２２２が湾曲して設けられ、接続部２２２表面には少なくとも一つ以上のストッパブロック２２３が突出して設けられる。
【００１９】
イヤパッド３は、基台３１を有し、基台３１内には接続板２２が穿設される貫通溝３１１が設けられ、基台３１表面には貫通溝３１１に連通した位置決め孔３１２が設けられ、基台３１の側辺には外部に複数の凸リブ３２が延伸し、各凸リブ３２末端には徐々に拡張する形状の円弧辺３３および円弧辺板３３１が接続され、凸リブ３２と円弧辺３３との間には収容空間３４が形成され、円弧辺３３と円弧辺板３３１との間には少なくとも一つ以上の空間部３６が形成される。
【００２０】
ヘッドバンド１には、接続装置２によってイヤパッド３と結合された後、織物体４をその外縁に被覆する。
【００２１】
図３は、本発明のヘッドバンドの組立を示す模式図である。図４は、ヘッドバンドと接続装置の組立を示す模式図である。図５は、接続装置とイヤパッドの組立を示す模式図である。図から分かるように、上述の部材を組立てるとき、先ず、ヘッドバンド１の二つのバンド体１１を重ねてお互いに、各バンド体１１の穿孔１３を有する末端を対応するガイド部１２の貫通孔１２１内に挿通する。その時、ガイド部１２はバンド体１１左右両側の導溝１４内で滑動移動する状態となる（図３に示す）。その後、接続装置２の接続板２２の軸部２２１を本体２１の対応する軸孔２１２内に設置し、バンド体１１を位置決め空間２１０に進入させた後、バンド体１１の穿孔１３を本体２１の透孔２１１部分に対応させ、枢設部材２３を対応する穿孔１３および透孔２１１内に穿設して固定する（図４に示す）。最後に接続板２２をイヤパッド３の貫通溝３１１内に挿入して、接続板２２上のストッパブロック２２３が貫通溝３１１の位置決め孔３１２内に位置規制される（図５に示す）ことによって本発明の耳当ての構造が完成される。
【００２２】
接続板２２末端の接続部２２２表面には少なくとも一つ以上のストッパブロック２２３が設けられ、ストッパブロック２２３一側には導入斜面２２３１が形成され、ストッパブロック２２３の他側にはストッパ部２２３２が設けられる。接続部２２２をイヤパッド３の貫通溝３１１に挿入されるとき、導入斜面２２３１が貫通溝３１１表面に開設された位置決め孔３１２を越え、ストッパ部２２３２が位置決め孔３１２内に係合固定されることによって、ストッパブロック２２３が対応する位置決め孔３１２内に位置規制される。
【００２３】
従って、ヘッドバンド１の二つのバンド体１１をお互いに貫通孔１２１に挿入して組立てた後、各バンド体１１のガイド部１２を対応する導入溝１４内で滑動させることによって、ヘッドバンド１の二つのバンド体１１を使用者の頭部の形状に合わせて伸縮させることができる。バンド体１１の厚さは、ガイド部１２から貫孔１３部分に向って徐々に薄くなっており、このバンド体１１の厚さが徐々に薄くなる構造によって、バンド体１１を使用者の頭部にフィットさせることができる。また、バンド体１１の厚さは両側部分が薄く、薄い部分がガイド部１２を通過しているので、導入溝１４およびガイド部１２の厚さがバンド体１１の頭部方向および反対方向に突出するのを防止し、平坦な状態を形成する。
【００２４】
また、接続装置２は、枢設部材２３がバンド体１１の穿孔１３および本体２１の透孔２１１に穿設された後、バンド体１１を本体２１の位置決め空間２１０内において揺動状態にすることができ、バンド体１１の末端の端面部分には円弧状の摩擦面取り部１５が形成され、揺動時、円弧状の摩擦面取り部１５によってバンド体１１を揺動させた後、イヤパッド３をヘッドバンド１と平行、右垂直または左垂直などの所定角度（図６に示す）に固定することができる。接続板２２は、軸部２２１によって本体２１の軸孔２１２内で回動することができる。接続板２２によって接続されたイヤパッド３を回動させることができ（図７に示す）、使用者の頭部形状または装着方式に合わせてヘッドバンド１とイヤパッド３の角度を容易に調整することができる。
【００２５】
図８、９は本発明の収納状態を示す斜視図である。図から分かるように、本発明の構造の耳当てを収納するとき、ヘッドバンド１の二つのバンド体１１の長さを縮小させ、接続装置２によって二つのイヤパッド３をお互いに相対する状態（図８に示す）にすることによって図示の第１の収納方式を形成することができる。また、接続装置２によって二つのイヤパッド３の角度を回動し、二つのイヤパッド３を一緒に重ね（図９に示す）、第２の収納方式を形成することができる。従って、本発明は接続装置２によってバンド体１とイヤパッド３の角度を使用者の頭部形状または装着方式に符合させることができる以外に、接続装置２を通じてイヤパッド３を回動させ、収納時の体積を縮小させることができ、所定角度を容易に調整して収納することができ、収納時に大きな作用力を受けて構造が破壊されたり、変形したりすることがない。
【００２６】
図１０は、本発明の織物体を縁かがり縫い方式によってイヤパッドに被覆した状態を示す模式図である。図から分かるように、本発明のヘッドバンド１、接続装置２およびイヤパッド３はそれぞれ織物体４によって被覆することができる。ヘッドバンド１と接続装置２とが接合された後、織物体４もヘッドバンド１および接続装置２外縁に同時に被覆し、接続板２２が織物体４外に露出する。イヤパッド３は、裁断布正面をミシン縫いした後で縁かがり縫いする方式で織物体４がその外縁に被覆される。この方式は二枚の織物体４がイヤパッド３上下表面を被覆した後、織物体４正面から縫合して、縁かがり縫い層４１が縫合部分に被覆し、その後、織物体４に開口４２を形成する。織物体４の開口４２はイヤパッド３の貫通溝３１１部分に対応し、ヘッドバンド１を接続装置２によってイヤパッド３に結合するとき、接続板２２の接続部２２２を織物体４の開口４２から挿入させ、イヤパッド３の貫通溝３１１内に係合固定すればよい（図１０に示す）。この織物体４を別々に加工する方式によって、使用者は必要に応じて異なるイヤパッド３に変更することができ、生産をモジュール化することができ、組立が簡単で、変更を容易にでき、使用範囲を広げることができる。
【００２７】
図１１は、織物体４を裁断布背面をミシン縫いした後で反転させる方式でイヤパッド３に被覆した状態を示す模式図である。この方式は、二枚の織物体４を背面から不完全に縫合し、一部を保留して反転口を形成し、背面の織物体４を反転口によって反転させて正面にし、イヤパッド３を織物体４に設置し、反転口の未縫合の織物体４を折ってイヤパッド３の空間部３６に進入させることによって織物体４をイヤパッド３外縁に完全に被覆することができる方式である。
【００２８】
図１２は、本発明の他の好適な実施例を示す斜視図である。本実施例の織物体４は、ヘッドバンド１、接続装置２およびイヤパッド３外縁をそれぞれ被覆し、その後、接続板２２が対応するイヤパッド３の貫通溝３１１内に挿入され、織物体４をイヤパッド３外縁に被覆することができる。被覆方式は、裁断布正面をミシン縫いした後で縁かがり縫いする方式または裁断布背面をミシン縫いした後反転させる方式を採用することができる。ヘッドバンド１および接続装置２は織物体４で被覆されなくてもよく、この種の簡易な修飾および同等効果の構造変更は本発明の特許請求の範囲に含まれる。
【００２９】
図１３は、本発明の他の実施例を示す斜視図である。図から分かるように、上述の織物体４はヘッドバンド１の外縁に被覆され、その後、接続板２２が対応するイヤパッド３の貫通溝３１１内に挿入される。織物体４がヘッドバンド１を被覆する方式は、裁断布背面をミシン縫いした後で反転させる方式または管状織物４３によってヘッドバンド１を被覆する方式を採用することができる。管状織物４３の布地は弾性伸縮するので長さを調整できるヘッドバンド１１に適用され、この種の簡易な修飾および同等効果の構造変更は本発明の特許請求の範囲に含まれる。
【００３０】
図１４は、本発明の他の実施例を示す斜視図である。図から分かるように、織物体４は二枚の裁断布正面をミシン縫いした後で縁かがり縫いする方式によって、組立が完成したヘッドバンド１、接続装置２およびイヤパッド３の外縁を被覆するか、または裁断布背面をミシン縫いした後で反転させる方式によって二枚の織物体４が縫合され、組立が完成されたヘッドバンド１、接続装置２およびイヤパッド３に設置され、余った布地はイヤパッド３の空間部３６内に押し込まれる方式で被覆する。この種の簡易な修飾および同等効果の構造変更は本発明の特許請求の範囲に含まれる。
【００３１】
図１５は、本発明を装着した状態を示す側面図である。図から分かるように、本発明は接続装置２によってヘッドバンド１とイヤパッド３の角度を調整することができ、例えば、ヘッドバンド１を使用者の後頚部の位置に設置し、イヤパッド３を反転させ、使用者の耳部をイヤパッド３の収容空間３４内に収容したり、ヘッドバンド１を使用者の額または後頭部上方に設置し、イヤパッド３を下方に回動させて耳部を被覆したりしてその角度を使用者の頭部形状または装着方式に合わせて任意に調節することができる。また、ヘッドバンド１とイヤパッド３の角度を平行に維持し、ヘッドバンド１の長さを直接調整して鍔上方の方向、頭部中央方向または後頭部中央方向に装着することができる。
【００３２】
上述の詳細な説明は、本発明の実施可能な実施例を示すものであり、これらの実施例は本発明の特許請求の範囲を制限するものではなく、本発明の主旨を逸脱しない範囲における同等効果の変更および修飾はすべて本発明の特許請求の範囲に含まれる。
【００３３】
本発明の耳当ての構造は使用時に確実にその効果を達成することができ、特許申請要件に符合するものである。
【図面の簡単な説明】
【００３４】
【図１】本発明を示す斜視図である。
【図２】本発明を示す分解斜視図である。
【図３】本発明のヘッドバンドの組立を示す模式図である。
【図４】ヘッドバンドと接続装置の組立を示す模式図である。
【図５】接続装置とイヤパッドの組立を示す模式図である。
【図６】本発明のバンド体と接続装置の動作を示す模式図である。
【図７】本発明のバンド体と接続装置の動作を示す模式図である。
【図８】本発明の収納状態を示す斜視図である。
【図９】本発明の収納状態を示す斜視図である。
【図１０】本発明の織物体を縁かがり縫いでイヤパッドに被覆した状態を示す模式図である。
【図１１】本発明の織物体を裁断布背面をミシン縫いした後で反転させる方式でイヤパッドに被覆した状態を示す模式図である。
【図１２】本発明の他の実施例を示す斜視図である。
【図１３】本発明の他の実施例を示す斜視図である。
【図１４】本発明の他の実施例を示す斜視図である。
【図１５】本発明を装着した状態を示す側面図である。
【図１６】従来技術による耳当ての構造を示す斜視図である。
【符号の説明】
【００３５】
１  ヘッドバンド
１１  バンド体
１２  ガイド部
１２１  貫通孔
１３  穿孔
１４  導入溝
１５  摩擦面取り部
２  接続装置
２１  本体
２１０  位置決め空間
２１１  透孔
２１２  軸孔
２２  接続板
２２１  軸部
２２２  接続部
２２３  ストッパブロック
２２３１  導入斜面
２２３２  ストッパ部
２３  枢設部材
３  イヤパッド
３１  基台
３１１  貫通溝
３１２  位置決め孔
３２  凸リブ
３３  円弧辺
３３１  円弧辺板
３４  収容空間
３５  面取り部
３６  空間部
４  織物体
４１  縁かがり縫い層
４２  開口
４３  管状織物
【図１】
2009226001.tif 000003
【図２】
2009226001.tif 000004
【図３】
2009226001.tif 000005
【図４】
2009226001.tif 000006
【図５】
2009226001.tif 000007
【図６】
2009226001.tif 000008
【図７】
2009226001.tif 000009
【図８】
2009226001.tif 000010
【図９】
2009226001.tif 000011
【図１０】
2009226001.tif 000012
【図１１】
2009226001.tif 000013
【図１２】
2009226001.tif 000014
【図１３】
2009226001.tif 000015
【図１４】
2009226001.tif 000016
【図１５】
2009226001.tif 000017
【図１６】
2009226001.tif 000018